(57)【要約】【課題】文字等の情報をペン等で入力する際に、そのペン等を持つ手の小指やその付け根部分等が検知されることなく、適正に入力することができるスライド式手載せ手段付き入力デバイスを提供する。【解決手段】四角形状の入力用中空部Ｓを有する四角枠状の入力デバイスＡの枠上に、この入力デバイスＡに対してスライド自在なスライド体（スライド式手載せ手段）Ｂが設けられている。そして、上記入力デバイスＡの入力用中空部Ｓに、文字等をペンＰや指等で入力する際に、そのペンＰ等を持つ手Ｑを、上記スライド体Ｂに載せるようになっている。上記入力デバイスＡは、入力用中空部Ｓを有する四角枠状の光導波路Ｗ等を備え、光の投射および受光により、上記ペンＰの移動軌跡を検知するようになっている。【選択図】図１
2013200816.tif 000002
【特許請求の範囲】
【請求項１】
下記（Ａ）の入力デバイスと、この入力デバイスの枠上にスライド自在に設けられたスライド体とを備え、そのスライド体が、上記入力デバイスの入力用中空部に入力する際に使う手を載せるための手載せ手段になっていることを特徴とするスライド式手載せ手段付き入力デバイス。
（Ａ）枠に囲まれた空間が入力用中空部になっている枠状体と、この枠状体に設けられ光の投射および受光をする一組の発光手段および受光手段とを有する入力デバイス。
【請求項２】
上記スライド体が、相互に関連した状態で重ねられた第１および第２のスライド板からなり、上記第１のスライド板が、上記入力デバイスの枠上を一方向にスライド自在となっており、上記第２のスライド板が、上記第１のスライド板のスライド方向と別方向にスライド自在となっており、この第２のスライド板が、上記入力用中空部に入力する際に使う手を載せるための手載せ板になっていて、上記入力デバイスに対して２軸方向にスライド自在になっている請求項１記載のスライド式手載せ手段付き入力デバイス。
【請求項３】
上記第１および第２のスライド板のスライド方向が、相互に直交する方向に設定されている請求項２記載のスライド式手載せ手段付き入力デバイス。
【請求項４】
上記スライド体が、透明である請求項１〜３のいずれか一項に記載のスライド式手載せ手段付き入力デバイス。
【請求項５】
上記発光手段が、発光素子と、この発光素子に接続された、光導波路の複数の光出射用コアとからなり、上記受光手段が、受光素子と、この受光素子に接続された、光導波路の複数の光入射用コアとからなり、上記光出射用コアの先端部と上記光入射用コアの先端部とが、上記枠状体の内側縁に位置決めされた状態で対向している請求項１〜４のいずれか一項に記載のスライド式手載せ手段付き入力デバイス。
【請求項６】
上記発光手段が、複数の発光素子からなり、上記受光手段が、複数の受光素子からなり、上記複数の発光素子と上記複数の受光素子とが、上記枠状体の内側縁に位置決めされた状態で対向している請求項１〜４のいずれか一項に記載のスライド式手載せ手段付き入力デバイス。
【請求項７】
上記発光手段と受光手段とが、発光素子と受光素子とを上下に重ねたモジュールからなり、そのモジュールが上記枠状体の一つの辺の両側の角部にそれぞれ配置され、これらモジュールの間の上記一つの辺を除く辺の内側面に、テープ状の再帰性光反射体が配置され、一方のモジュールの発光素子から投射された光が、上記再帰性光反射体に反射されて、この一方のモジュールの受光素子で受光されるようになっている請求項１〜４のいずれか一項に記載のスライド式手載せ手段付き入力デバイス。
【発明の詳細な説明】
【技術分野】
【０００１】
本発明は、光学的な位置検出手段を備えたスライド式手載せ手段付き入力デバイスに関するものである。
【背景技術】
【０００２】
従来より、入力デバイスとして、複数の発光素子および受光素子を備えた光学的位置検出装置（例えば、特許文献１参照）が提案されている。このものは、四角形のディスプレイに一体的に設けられて四角枠状に形成されている。そして、その四角枠を構成する一対のＬ字状部分の一方に、発光素子を複数並設し、他方に、上記発光素子に対向する受光素子を複数並設したものとなっている。この四角枠状の光学的位置検出装置は、上記のように、四角形のディスプレイの周縁に沿って設置され、その四角枠内でペンや指等を移動させることにより、文字等の情報を入力し、上記ディスプレイに表示することができるようになっている。
【０００３】
すなわち、上記四角枠内では、上記複数の発光素子により、光が格子状に走った状態になっており、その四角枠内でペンや指等を移動させると、上記発光素子からの光が上記ペンや指等により遮光され、その遮光を、上記発光素子に対向する受光素子が感知することにより、上記ペンや指等の軌跡（文字等の入力情報）を検知するようになっている。そして、その軌跡を信号として上記ディスプレイに出力するようになっている。
【先行技術文献】
【特許文献】
【０００４】
【特許文献１】特許第３６８２１０９号公報
【発明の概要】
【発明が解決しようとする課題】
【０００５】
しかしながら、上記四角枠状の光学的位置検出装置は、上記ディスプレイの周縁に沿って設置されるため、上記四角枠内が広くなっている。そのため、上記四角枠内に文字等を上記ペン等で入力しようとすると、そのペン等の先端だけでなく、そのペン等を持つ手の小指やその付け根部分（小指球）等も、上記四角枠内において、上記ディスプレイの表面に接触する。この場合、上記四角枠内において、上記ディスプレイの表面に接触した部分全体が検知されるため、不要なもの（上記小指やその付け根部分等の検知情報）が上記ディスプレイに表示されるという、いわゆる「お手つき」の問題がある。そこで、上記小指やその付け根部分等が上記ディスプレイの表面に接触しないようにして、上記ペン等で文字等を入力しようとすると、今度は、その文字等が乱れ、適正に入力することができないという問題が起こる。
【０００６】
本発明は、このような事情に鑑みなされたもので、文字等の情報をペン等で入力する際に、そのペン等を持つ手の小指やその付け根部分等が検知されることなく、適正に入力することができるスライド式手載せ手段付き入力デバイスの提供をその目的とする。
【課題を解決するための手段】
【０００７】
上記の目的を達成するため、本発明のスライド式手載せ手段付き入力デバイスは、下記（Ａ）の入力デバイスと、この入力デバイスの枠上にスライド自在に設けられたスライド体とを備え、そのスライド体が、上記入力デバイスの入力用中空部に入力する際に使う手を載せるための手載せ手段になっているという構成をとる。
（Ａ）枠に囲まれた空間が入力用中空部になっている枠状体と、この枠状体に設けられ光の投射および受光をする一組の発光手段および受光手段とを有する入力デバイス。
【０００８】
ここで、仮に、従来の上記光学的位置検出装置において、上記「お手つき」を防止するために、ペン等を持つ手を載せるための手載せ手段を任意の位置に設けると、その手載せ手段により、その下側のディスプレイが遮られるため、上記手載せ手段が入力の障害になる。そこで、上記手載せ手段をスライド可能とすると、ディスプレイは大きくとれるものの、その手載せ手段がスライドした際にディスプレイからはみ出すため、上記光学的位置検出装置の設置に、上記はみ出しを考慮した余分なスペースが必要となる。これらの観点から、ディスプレイと一体的な上記光学的位置検出装置には、ペン等を持つ手を載せるための手載せ手段を設けるという発想は生じない。
【発明の効果】
【０００９】
本発明のスライド式手載せ手段付き入力デバイスは、枠状の入力デバイスの枠上にスライド自在な手載せ手段（スライド体）が設けられている。そのため、上記入力デバイスの入力用中空部に、文字等の情報をペンや指等で入力する際に、そのペン等を持つ手を、上記手載せ手段に載せることができる。これにより、上記入力の際には、上記ペン等を持つ手の小指やその付け根部分等を、上記入力用中空部に入らないようにする、すなわち「お手つき」しないようにすることができる。その結果、上記入力デバイスでは、「お手つき」が生じず、上記入力した文字等の情報（ペン先や指先等の軌跡）を適正に検知することができる。さらに、上記入力の際に、上記手載せ手段（スライド体）に載せた手の動きによって、その手載せ手段をスライドさせることができるため、手を紙面等の上に置いた状態で入力する場合に比べ、ペン等を持つ手の移動を軽く行うことができ、長文等の入力に、疲れなくなる。なお、本発明のスライド式手載せ手段付き入力デバイスは、上記スライド体がスライドして上記入力デバイス部分からはみ出ることがあったとしても、それ自体、ディスプレイ等と一体的ではなく、独立して持ち運び自在であることから、はみ出るところが邪魔にならない場所に、本発明のスライド式手載せ手段付き入力デバイスを移動すれば足りる。前記の従来技術のものと異なり、上記スライド体がはみ出るスペースを余分にとる必要はない。
【００１０】
特に、上記スライド体が、相互に関連した状態で重ねられた第１および第２のスライド板からなり、上記第１のスライド板が、上記入力デバイスの枠上を一方向にスライド自在となっており、上記第２のスライド板が、上記第１のスライド板のスライド方向と別方向にスライド自在となっており、この第２のスライド板が、上記入力用中空部に入力する際に使う手を載せるための手載せ板になっていて、上記入力デバイスに対して２軸方向にスライド自在になっている場合には、上記のように第２のスライド板（手載せ板）が異なる２方向にスライド可能となることから、入力用中空部に入力する際に、入力デバイスに対して、ペン等を持つ手の広範囲の移動が容易となる。
【００１１】
さらに、上記第１および第２のスライド板のスライド方向が、相互に直交する方向に設定されている場合には、２軸方向（例えば、左右方向と前後方向）にスライド可能となることから、スライドの位置決めおよび入力の位置決めが、より容易となる。
【００１２】
また、上記スライド体が、透明である場合には、そのスライド体を透して入力用中空部を見ることができるため、入力し易くなる。例えば、その入力用中空部に、フォーマットが記載された紙を置いた際には、そのフォーマットが見えるため、所定位置に入力し易くなる。
【００１３】
そして、上記発光手段が、発光素子と、この発光素子に接続された、光導波路の複数の光出射用コアとからなり、上記受光手段が、受光素子と、この受光素子に接続された、光導波路の複数の光入射用コアとからなり、上記光出射用コアの先端部と上記光入射用コアの先端部とが、上記枠状体の内側縁に位置決めされた状態で対向している場合には、上記枠状体上に上記光導波路が形成され、その光導波路は薄く形成することができるため、上記入力デバイスを薄くすることができる。
【００１４】
また、上記発光手段が、複数の発光素子からなり、上記受光手段が、複数の受光素子からなり、上記複数の発光素子と上記複数の受光素子とが、上記枠状体の内側縁に位置決めされた状態で対向している場合には、上記発光素子および上記受光素子がある程度厚みを有するため、上記入力デバイスも全体的にある程度厚く形成され、その入力デバイスを剛性および強度のあるものとすることができる。
【００１５】
さらに、上記発光手段と受光手段とが、発光素子と受光素子とを上下に重ねたモジュールからなり、そのモジュールが上記枠状体の一つの辺の両側の角部にそれぞれ配置され、これらモジュールの間の上記一つの辺を除く辺の内側面に、テープ状の再帰性光反射体が配置され、一方のモジュールの発光素子から投射された光が、上記再帰性光反射体に反射されて、この一方のモジュールの受光素子で受光されるようになっている場合には、少ない部品点数で、三角測量により、入力に用いるペンや指等の先端の位置を特定することができる。
【図面の簡単な説明】
【００１６】
【図１】本発明のスライド式手載せ手段付き入力デバイスの第１の実施の形態を模式的に示す斜視図である。
【図２】上記スライド式手載せ手段付き入力デバイスにおける入力デバイス部分と手載せ手段部分とのスライド機構を模式的に示したもので、（ａ）は、図１のＸ１−Ｘ１断面での説明図であり、（ｂ）は、図１のＸ２−Ｘ２断面での説明図である。
【図３】（ａ）は、上記スライド式手載せ手段付き入力デバイスの入力デバイス部分を模式的に示す平面図であり、（ｂ）は、（ａ）のＸ３−Ｘ３断面の拡大図であり、（ｃ）は、（ａ）のＸ４−Ｘ４断面の拡大図である。
【図４】（ａ）〜（ｃ）は、上記入力デバイス部分の作製方法の一例を模式的に示す説明図である。
【図５】（ａ）〜（ｃ）は、上記図４に示す工程に続く入力デバイス部分の作製方法を模式的に示す説明図である。
【図６】（ａ）〜（ｂ）は、上記図５に示す工程に続く入力デバイス部分の作製方法を模式的に示す説明図である。
【図７】（ａ）は、上記図６に示す工程に続く入力デバイス部分の作製方法を模式的に示す説明図であり、（ｂ）は、（ａ）のＸ５−Ｘ５断面図である。
【図８】上記図７に示す工程に続く入力デバイス部分の作製方法を模式的に示す説明図である。
【図９】本発明のスライド式手載せ手段付き入力デバイスの第２の実施の形態を模式的に示す説明図である。
【図１０】本発明のスライド式手載せ手段付き入力デバイスの第３の実施の形態における入力デバイス部分を模式的に示す説明図である。
【図１１】本発明のスライド式手載せ手段付き入力デバイスの第４の実施の形態における入力デバイス部分を模式的に示す説明図である。
【発明を実施するための形態】
【００１７】
つぎに、本発明の実施の形態を図面にもとづいて詳しく説明する。
【００１８】
図１は、本発明のスライド式手載せ手段付き入力デバイスの第１の実施の形態を示す斜視図である。この実施の形態のスライド式手載せ手段付き入力デバイスは、長方形状の入力用中空部（窓部）Ｓを有する長方形枠状の入力デバイスＡの枠上に、この入力デバイスＡに対しスライド自在なスライド体Ｂが設けられているものである。このスライド体Ｂは、この実施の形態では、相互に関連した状態で重ねられた第１および第２のスライド板（２枚のスライド板）Ｂ1 ，Ｂ2 からなっている。そのうち、上記第１のスライド板Ｂ1 は、上記入力デバイスＡの枠上を、その入力デバイスＡの一対の平行枠に沿う方向（図のＸ方向）にスライド自在となっており、上記第２のスライド板Ｂ2 は、上記第１のスライド板Ｂ1 の表面をその第１のスライド板Ｂ1 のスライド方向と直角な方向（図のＹ方向）にスライド自在となっている。そして、上記入力デバイスＡの入力用中空部Ｓに、文字等をペンＰや指等で入力する際に、そのペンＰ等を持つ手Ｑを、上記第２のスライド板Ｂ2 に載せるようになっている。本発明は、このように、上記入力デバイスＡの枠上にスライド式手載せ手段（上記スライド体Ｂ）を設けたことが、大きな特徴である。
【００１９】
このように、上記入力デバイスＡの枠上に、上記スライド式手載せ手段（スライド体Ｂ）を設けることにより、上記入力デバイスＡの入力用中空部Ｓに、文字等の情報をペンＰや指等で入力する際に、そのペンＰ等を持つ手Ｑを、上記手載せ手段に載せることができる。これにより、上記入力の際には、上記ペンＰ等を持つ手Ｑの小指やその付け根部分等を、上記入力用中空部Ｓに入らないようにすることができ、いわゆる「お手つき」を防ぐことができる。その結果、上記入力デバイスＡでは、お手つきが生じず、入力した文字等の情報（ペン先や指先等の軌跡）を適正に検知することができる。さらに、上記手載せ手段（スライド体Ｂ）は、ペンＰ等を持つ手Ｑを載せた状態で、入力に伴ってスライドさせることができる。そのため、ペンＰ等を持つ手Ｑの移動を軽く行うことができ、長文等を入力する等に際して、入力が楽になる。特に、この実施の形態では、上記スライドが直交する２方向（図のＸ方向とＹ方向）に可能であるため、広範囲の移動が容易である。なお、図１に示す状態は、右利きの人が使用する状態であり、左利きの人が使用する場合は、入力デバイスＡとスライド体Ｂの配置を左右逆にすればよい。
【００２０】
より詳しく説明すると、上記入力デバイスＡと上記第１のスライド板Ｂ1 とのスライド機構は、例えば、図２（ａ）に示すように、上記入力デバイスＡの表面に、スライド方向Ｘ（図１参照）に長い溝８１を形成し、上記第１のスライド板Ｂ1 の裏面に、その溝８１にスライド自在に係合する突起９１を形成する。これとは逆に、上記入力デバイスＡの表面に上記突起等を形成し、上記第１のスライド板Ｂ1 の裏面に溝を形成してもよい。上記第１のスライド板Ｂ1 と上記第２のスライド板Ｂ2 とのスライド機構も、図２（ｂ）に示すように、上記と同様にすることができる〔図２（ｂ）では、一例として、第１のスライド板Ｂ1 の表面に溝９２を形成し、第２のスライド板Ｂ2 の裏面に突起９３を形成している〕。なお、いずれのスライド機構も、第１および第２のスライド板Ｂ1，Ｂ2 がスライドしきったときに容易に外れないよう、上記溝８１，９２等の端部に、ストッパ（図示せず）を設けることが好ましい。また、上記スライド機構は、図１には図示していない。
【００２１】
そして、上記スライド体Ｂのうち、上側の第２のスライド板Ｂ2 の大きさは、手Ｑ（図１参照）を載せることができる程度の大きさに設定され、例えば、５０ｍｍ×５０ｍｍ〜２００ｍｍ×２００ｍｍの範囲内に設定される。下側の第１のスライド板Ｂ1 の大きさは、上記第２のスライド板Ｂ2 以上の大きさであり、しかも、その第１のスライド板Ｂ1 のスライド方向と直角な方向（図のＹ方向）の長さが、入力デバイスＡのＹ方向の長さと同程度ないしそれ以上（最大＋５０ｍｍ程度）に設定される（図では同程度）。また、上記スライド体Ｂの形成材料としては、例えば、樹脂，金属，木，ガラス等があげられ、なかでも、入力用中空部Ｓを透視できる観点から、透明な樹脂（ポリカーボネート樹脂，アクリル樹脂等）やガラスが好ましい。さらに、上記スライド体Ｂの厚みは、薄すぎると、手Ｑを載せた際に、そのスライド体Ｂが入力用中空部Ｓ内に大きく撓んで感知され、厚すぎると、入力部分からの手Ｑの高さが高くなりすぎて入力し難くなるため、上記第１および第２のスライド板Ｂ1 ，Ｂ2 の厚みは、いずれも、その形成材料にもよるが、例えば、１〜２０ｍｍの範囲内に設定される。
【００２２】
一方、上記入力デバイスＡは、その平面図を図３（ａ）に、そのＸ３−Ｘ３断面の拡大図を図３（ｂ）に、図３（ａ）のＸ４−Ｘ４断面の拡大図を図３（ｃ）に示すように、上記入力用中空部Ｓを有する長方形枠状の光導波路Ｗと、この光導波路Ｗに接続される発光素子５および受光素子６を有する制御手段Ｃとを備えている。これら光導波路Ｗと制御手段Ｃとは、上記入力用中空部Ｓを有する長方形枠状の保持板（枠状体）７の表面に設けられているとともに、上記入力用中空部Ｓを有する長方形枠状の保護板８で覆われている。この保護板８は、蓋機能を有し、上記光導波路Ｗと制御手段Ｃとを覆うようにかぶせられ、上記制御手段Ｃを覆う部分は、段状に盛り上がっている（図１参照）。また、上記入力用中空部Ｓの高さは、通常、１〜２０ｍｍの範囲内に設定され、この実施の形態（光導波路Ｗを用いる形態）の場合、１〜５ｍｍの範囲内に設定することも可能である。
【００２３】
上記長方形枠状の光導波路Ｗは、図３（ａ），（ｂ）に示すように、その長方形枠形状の各辺の帯状の光導波路部分を個別に作製し、それを長方形枠状に接続したものとなっている。この実施の形態では、上記帯状の各光導波路部分の両端縁が、隣接する他の光導波路部分の端縁と噛合するよう段部に形成されている。そして、その段部を利用し位置決めした状態で、隣接し合う光導波路部分が接続されている。また、上記帯状の各光導波路部分は、アンダークラッド層１と、このアンダークラッド層１の表面に所定パターンに形成されたコア２ａ，２ｂと、このコア２ａ，２ｂを被覆した状態で、上記アンダークラッド層１の表面に形成されたオーバークラッド層３とからなっている。なお、上記アンダークラッド層１は、上記長方形枠状の保持板７の表面に貼着されている。
【００２４】
そして、長方形枠状に形成された上記光導波路Ｗは、そのアンダークラッド層１の長方形枠を構成する一対のＬ字状部分の一方の表面に、光出射用のコア２ａが複数に分岐された状態で形成され、他方の表面に、光入射用の複数のコア２ｂが並列状態で形成されている。各コア２ａ，２ｂの先端部は、上記一対のＬ字状部分の内側縁（長方形枠の内周縁）に位置決めされ、光出射用のコア２ａの先端部と光入射用のコア２ｂの先端部とが対向した状態に形成されている。さらに、上記光出射用のコア２ａおよび光入射用のコア２ｂを被覆した状態で、上記アンダークラッド層１の表面に、オーバークラッド層３が長方形枠状に形成されている。この実施の形態では、上記長方形枠の内周縁に位置決めされているコア２ａ，２ｂの先端部が、平面視形状が略１／２円弧状の曲面を有する凸状のレンズ部に形成され、そのレンズ部を被覆するオーバークラッド層３の先端部が、側断面形状が略１／４円弧状の曲面を有する凸状のレンズ部３ａに形成されている。なお、図３（ａ）では、コア２ａ，２ｂを鎖線で示しており、鎖線の太さがコア２ａ，２ｂの太さを示している。また、図３（ａ），（ｂ）では、コア２ａ，２ｂの数を略して図示している。
【００２５】
また、上記制御手段Ｃは、図３（ａ），（ｃ）に示すように、先に述べた発光素子５および受光素子６に加え、上記入力デバイスＡを制御するＣＰＵ（図示せず）、上記光導波路Ｗの入力用中空部Ｓに入力した情報（ペン先等の移動軌跡の情報）を出力する出力モジュール（図示せず），その情報を記憶するメモリ等の記憶手段（図示せず），電源となる電池（図示せず）等も備え、かさ高くなっている。そして、上記発光素子５，上記受光素子６，上記ＣＰＵ，上記出力モジュール，上記記憶手段，上記電池等は、回路基板４に搭載され、電気的に適正に接続されている。
【００２６】
このような入力デバイスＡでは、上記発光素子５からの光Ｈは、上記光出射用のコア２ａを通り、その先端のレンズ部を経て、それを被覆するオーバークラッド層３のレンズ部３ａの表面から出射される。これにより、その光Ｈは、上記長方形枠状の光導波路Ｗの入力用中空部Ｓにおいて、格子状に走った状態となる。その格子状に走る光Ｈは、上記光出射用のコア２ａの先端のレンズ部およびそれを被覆するオーバークラッド層３のレンズ部３ａの屈折作用により、発散が抑制されている。そして、上記光Ｈは、受光側のオーバークラッド層３のレンズ部３ａを透過し、光入射用のコア２ｂの先端のレンズ部を経て、上記光入射用のコア２ｂを通り、上記受光素子６に到達する。上記光入射用のコア２ｂに入射した光は、上記オーバークラッド層３のレンズ部３ａおよび上記光入射用のコア２ｂの先端のレンズ部の屈折作用により、絞られて収束されている。
【００２７】
そして、上記スライド式手載せ手段付き入力デバイスを用いて情報を入力する際には、ペンＰ（図１参照）や手Ｑ（図１参照）の指等で入力することが行われる。そのうち、ペンＰで入力する場合には、例えば、上記スライド式手載せ手段付き入力デバイスを紙の上に載置し、ペンＰを手Ｑ（図１参照）に持ち、その手Ｑを上記スライド体Ｂの第２のスライド板Ｂ2 （図１参照）に載せ、上記のように光Ｈが格子状に走る上記入力用中空部Ｓから露呈する上記紙の部分に、上記ペンＰで、文字，図，印等を書き込む。これにより、上記格子状に走る光Ｈは、上記ペンＰのペン先により遮光され、その遮光が上記受光素子６により感知されることにより、上記ペン先の軌跡が検知される。そのペン先の軌跡が文字，図，印等の入力情報となり、その軌跡（入力情報）がデジタルデータ（電子データ）として上記メモリ等の記憶手段に記憶される。このとき、上記手Ｑは、上記のように、上記入力デバイスＡ（入力用中空部Ｓ）上のスライド体Ｂの第２のスライド板Ｂ2 に載っているため、上記入力用中空部Ｓに入ることがなく、検知されない。
【００２８】
上記メモリ等の記憶手段に保存（記憶）された入力情報は、再生用端末（パーソナルコンピュータ，モバイル機等）を利用して再生（表示）することができ、さらに、上記再生用端末に記憶させることもできる。この場合、上記再生用端末と上記入力デバイスＡとは、例えば、マイクロＵＳＢケーブル等の接続ケーブルで接続される。
【００２９】
また、上記入力の際に、上記入力デバイスＡをパーソナルコンピュータ（以下「パソコン」という）に接続してもよい。この場合、例えば、上記パソコンのディスプレイに資料等の情報を表示し、その状態で、上記のように、上記入力デバイスＡの入力用中空部Ｓで、上記文字等の情報をペンＰで入力する。これにより、そのペン先の軌跡が、上記入力デバイスＡにより、検知されるとともに、信号として上記パソコンに無線または接続ケーブルで伝達され、上記ディスプレイに表示することができる。これにより、上記ディスプレイには、上記資料等の情報に、上記入力デバイスＡで入力した文字等の情報が重ね合わさった状態で表示される。そして、その表示された内容は、上記パソコン内のハードディスクや外部のＵＳＢメモリ等の情報記憶媒体に記憶することもできる。
【００３０】
一方、手Ｑの指で入力する場合には、指先の軌跡が入力情報として上記メモリ等の記憶手段に記憶される。この場合、紙に書き込めないため、紙は不要である。そして、上記ペンＰによる入力と同様に、メモリ等の記憶手段に保存（記憶）された入力情報をパソコンを利用して再生することができたり、パソコンのディスプレイに表示することができたりする。
【００３１】
ここで使用される上記パソコンには、上記入力デバイスＡの入力用中空部Ｓで入力した文字等を、その入力した位置に対応するディスプレイの位置に表示させるために、入力デバイスＡの入力用中空部Ｓ内の領域の座標を、ディスプレイの画面の座標に変換し、入力デバイスＡで入力した文字等をディスプレイに表示するソフトウェア（プログラム）が組み込まれている。
【００３２】
〔スライド体Ｂの作製〕
つぎに、上記スライド体Ｂの作製方法の一例について説明する。このスライド体Ｂの第１および第２のスライド板Ｂ1 ，Ｂ2 は、その形成材料に応じた製法により作製される。例えば、形成材料として樹脂を用いる場合は、射出成形等により作製され、金属を用いる場合は、金属板のプレス加工等により作製される。このとき、前記スライド機構に必要な溝９２および突起９１，９３を形成する〔図２（ａ），（ｂ）参照〕。
【００３３】
〔入力デバイスＡの作製〕
つぎに、上記入力デバイスＡの作製方法の一例について説明する。この実施の形態では、四角枠状の光導波路Ｗの作製は、その四角枠形状の各辺の帯状の光導波路部分を個別に作製し、それを四角枠状に接続することにより行われる。なお、光導波路Ｗの作製方法の説明に引用する図４（ａ）〜（ｃ），図５（ａ）〜（ｃ）は、図３（ｂ）に相当する部分を図示している。
【００３４】
まず、帯状の光導波路部分を形成するための基板１０〔図４（ａ）参照〕を準備する。この基板１０の形成材料としては、例えば、金属，樹脂，ガラス，石英，シリコン等があげられる。
【００３５】
ついで、図４（ａ）に示すように、上記基板１０の表面に、帯状のアンダークラッド層１を形成する。このアンダークラッド層１は、感光性樹脂を形成材料として、フォトリソグラフィ法により形成することができる。アンダークラッド層１の厚みは、例えば、５〜５０μｍの範囲内に設定される。
【００３６】
つぎに、図４（ｂ）に示すように、上記アンダークラッド層１の表面に、フォトリソグラフィ法により前記パターンの光出射用のコア２ａおよび光入射用のコア２ｂを形成する。これらコア２ａ，２ｂの形成材料としては、上記アンダークラッド層１および下記オーバークラッド層３〔図４（ｂ）参照〕の形成材料よりも屈折率が高い感光性樹脂が用いられる。なお、図４（ｂ）は光入射側の断面図であるため、この図４（ｂ）に光出射用のコア２ａは図示されない。これは、下記の図５（ａ）〜（ｃ）でも同様である。
【００３７】
一方、図４（ｃ）に示すように、オーバークラッド層形成用の、透光性を有する成形型２０を準備する。この成形型２０には、オーバークラッド層３〔図５（ｂ）参照〕の表面形状に対応する型面を有する凹部２１が形成されている。そして、その凹部２１を上にして、成形型２０を成形ステージ（図示せず）の上に設置し、その凹部２１に、オーバークラッド層３の形成材料である感光性樹脂３Ａを充填する。
【００３８】
ついで、図５（ａ）に示すように、上記アンダークラッド層１の表面にパターン形成したコア２ａ，２ｂを、上記成形型２０の凹部２１に対して位置決めし、その状態で、上記アンダークラッド層１を上記成形型２０に押圧し、上記オーバークラッド層３の形成材料である感光性樹脂３Ａ内に、上記コア２ａ，２ｂを浸す。そして、この状態で、紫外線等の照射線を、上記成形型２０を透して上記感光性樹脂３Ａに照射し、その感光性樹脂３Ａを露光する。これにより、上記感光性樹脂３Ａが硬化し、コア２ａ，２ｂの先端部に対応するオーバークラッド層３の部分がレンズ部３ａに形成されたオーバークラッド層３が形成される。
【００３９】
つぎに、図５（ｂ）〔図５（ａ）とは上下を逆に図示している〕に示すように、上記成形型２０〔図５（ａ）参照〕から、上記オーバークラッド層３を、上記基板１０，アンダークラッド層１およびコア２ａ，２ｂと共に脱型する。
【００４０】
そして、図５（ｃ）に示すように、上記基板１０〔図４（ｂ）参照〕をアンダークラッド層１から剥離し、アンダークラッド層１，コア２ａ，２ｂおよびオーバークラッド層３からなる帯状の光導波路部分を得る。
【００４１】
他方、図６（ａ）に平面図で示すように、回路基板４を準備し、それに、発光素子５，受光素子６，上記入力デバイスＡ（図３参照）を制御するＣＰＵ（図示せず），上記光導波路Ｗ（図３参照）の入力用中空部Ｓに入力した情報を出力する出力モジュール（図示せず），上記記憶手段（図示せず），電池（図示せず）等を搭載し、前記制御手段Ｃを作製する。
【００４２】
ついで、図６（ｂ）に平面図で示すように、入力用中空部Ｓを有する長方形枠状の保持板７を準備する。この保持板７の形成材料としては、例えば、金属，樹脂，ガラス，石英，シリコン等があげられる。なかでも、平面性の保持に優れている点で、ステンレスが好ましい。保持板７の厚みは、例えば、０．５ｍｍ程度に設定される。
【００４３】
そして、図７（ａ）に平面図で示し，図７（ｂ）に断面図〔図７（ａ）のＸ５−Ｘ５断面図〕で示すように、上記四角枠状の保持板７の表面に、上記帯状の光導波路部分を順次貼着し、四角枠状の光導波路Ｗを作製する。このとき、上記発光素子５を光出射用のコア２ａに接続し、上記受光素子６を光入射用のコア２ｂに接続する。
【００４４】
その後、図８に断面図で示すように、上記オーバークラッド層３のレンズ部３ａを除く光導波路Ｗの部分と、上記制御手段Ｃとを、蓋状の保護板８で被覆し保護する。この保護板８の表面の所定部分には、前記スライド体Ｂ〔図２（ａ），（ｂ）参照〕の第１のスライド板Ｂ1 とのスライド機構に必要な溝８１または突起が形成されている（図８では図示されない）。保護板８の形成材料としては、例えば、樹脂，金属，ガラス，石英，シリコン等があげられる。保護板８の厚みは、例えば、金属製であれば、０．５ｍｍ程度、樹脂製であれば、０．８ｍｍ程度に設定される。このようにして、上記入力デバイスＡを作製することができる。
【００４５】
〔スライド式手載せ手段付き入力デバイスの作製〕
最後に、上記入力デバイスＡの保護板８に、上記スライド体（スライド式手載せ手段）Ｂの第１のスライド板Ｂ1 を、上記スライド機構を利用してスライド自在となるよう、取り付ける。このようにして、図１に示すスライド式手載せ手段付き入力デバイスを作製することができる。
【００４６】
なお、上記実施の形態では、第１のスライド板Ｂ1 と第２のスライド板Ｂ2 とのスライド方向を、相互に直交する２方向（図１のＸ方向とＹ方向）としたが、その２方向は、他でもよく、例えば、第１のスライド板Ｂ1 のスライド方向に対する第２のスライド板Ｂ2 のスライド方向を、斜め方向に設定してもよい。
【００４７】
図９は、本発明のスライド式手載せ手段付き入力デバイスの第２の実施の形態を示す斜視図である。この実施の形態のスライド式手載せ手段付き入力デバイスは、上記第１の実施の形態のスライド式手載せ手段付き入力デバイスにおいて、スライド体Ｂに、第２のスライド板Ｂ2 （図１参照）が設けられていない。すなわち、スライド体Ｂが１枚のスライド板Ｂ3 （図１に示す第１のスライド板Ｂ1 に相当するもの）からなっていて、一方向（Ｘ方向）にのみスライドするようになっている。そのため、そのスライド体Ｂ（スライド板Ｂ3 ）の表面には、第２のスライド板Ｂ2 とのスライド機構用の溝９２〔図２（ｂ）参照〕または突起が形成されていない。そして、ペンＰ等を持つ手Ｑ（図１参照）は、そのスライド板Ｂ3 に載せるようにする。それ以外の部分は、上記第１の実施の形態と同様であり、同様の部分には同じ符号を付している。
【００４８】
この実施の形態では、スライド体Ｂのスライドが１軸方向（図のＸ方向）のみとなるものの、上記第１の実施の形態と同様、入力デバイスＡの入力用中空部Ｓに、文字等の情報をペンＰや指等で入力する際に、上記ペンＰ等を持つ手Ｑの小指やその付け根部分等を、上記入力用中空部Ｓに入らないようにすることができ、不要なもの（上記ペンＰ等を持つ手Ｑの小指やその付け根部分等）を検知することなく、入力した文字等の情報（ペン先や指先等の軌跡）を適正に検知することができる。そして、上記第１の実施の形態と同様にして使用することができる。
【００４９】
なお、上記各実施の形態では、入力デバイスＡの四角枠状の光導波路Ｗにおいて、入力用中空部Ｓ内での光伝送効率を向上させるために、光出射用のコア２ａの先端部および光入射用のコア２ｂの先端部をレンズ部に形成するとともに、それを被覆するオーバークラッド層３の先端部もレンズ部３ａに形成したが、入力用中空部Ｓ内での光伝送効率が充分であれば、上記レンズ部３ａは、コア２ａ，２ｂまたはオーバークラッド層３の一方のみに形成してもよいし、両方とも形成しなくてもよい。また、上記レンズ部３ａを形成しない場合、別体のレンズ体を準備し、上記光導波路Ｗの入力用中空部Ｓ内の周縁縁に沿って設置してもよい。
【００５０】
図１０は、本発明のスライド式手載せ手段付き入力デバイスの第３の実施の形態における入力デバイスＡ２を示す平面図である。この実施の形態の入力デバイスＡ２は、長方形状の入力用中空部Ｓを有する長方形枠状の保持板７の、上記入力用中空部Ｓの対向する一方の周縁に、複数の発光ダイオード（発光手段）１１が並設され、他方の周縁に、複数のフォトダイオード（受光手段）１２が並設され、上記発光ダイオード１１の発光部と、上記フォトダイオード１２の受光部とが対向している。上記発光ダイオード１１およびフォトダイオード１２は、上記保持板７の表面に設けられた長方形枠状の回路基板４に搭載されている。また、上記第１または第２の実施の形態と同様に、入力デバイスＡ２上には、スライド機構により、スライド体〔図１０では入力デバイスＡ２のみを図示しているため、スライド体Ｂ（図１，図９参照）は図示せず〕がスライド自在に設けられている。なお、図１０では、発光ダイオード１１，フォトダイオード１２の数を略して図示している。それ以外の部分は、上記第１または第２の実施の形態と同様であり、同様の部分には同じ符号を付している。
【００５１】
この実施の形態でも、上記複数の発光ダイオード１１により、上記入力用中空部Ｓにおいて、光Ｈが格子状に走った状態となる。そして、ペンＰ等を持つ手Ｑを上記スライド体Ｂ（図１，図９参照）に載せ、上記入力用中空部ＳでペンＰや指で、文字，図，印等を入力すると、ペン先や指先により遮光され、その遮光が上記フォトダイオード１２により感知されることにより、上記ペン先や指先の軌跡が検知される。このとき、上記手Ｑは、上記入力デバイスＡ２（入力用中空部Ｓ）上のスライド体Ｂに載っており、上記入力用中空部Ｓに入らないため、検知されない。そして、上記第１または第２の実施の形態と同様にして使用することができる。
【００５２】
図１１は、本発明のスライド式手載せ手段付き入力デバイスの第４の実施の形態における入力デバイスＡ３を示す平面図である。この実施の形態の入力デバイスＡ３は、長方形状の入力用中空部Ｓを有する長方形枠状の保持板７の、上記入力用中空部Ｓの一つの辺の両側の角部に、発光ダイオード（発光手段）とＣＭＯＳイメージセンサ（受光素子）とを上下（上記保持板７と直交する方向）に重ねた測定モジュール１３がそれぞれ配置され、残りの３辺の内側面に、再帰性光反射テープ１４が貼着されている。上記発光ダイオードは、約９０°の広がり角度で光Ｈが投射されるものであり、上記入力用中空部Ｓ全体に光Ｈを行きわたらせるものとなっている。また、上記再帰性光反射テープ１４は、入射した光を同じ方向に反射する機能をもっているものである。なお、上記２個の測定モジュール１３は、上記保持板７の表面の一部に設けられた帯状の回路基板４に搭載されている。また、上記第１または第２の実施の形態と同様に、入力デバイスＡ３上には、スライド機構により、スライド体〔図１１では入力デバイスＡ３のみを図示しているため、スライド体Ｂ（図１，図９参照）は図示せず〕がスライド自在に設けられている。それ以外の部分は、上記第１または第２の実施の形態と同様であり、同様の部分には同じ符号を付している。
【００５３】
この実施の形態では、上記各測定モジュール１３の発光ダイオードから投射された光が上記再帰性光反射テープ１４で反射され、投射元の測定モジュール１３のＣＭＯＳイメージセンサで受光されるようになっている。このため、上記入力用中空部Ｓにおいて、上記２個の測定モジュール１３を中心とした扇状に光Ｈが走った状態となる。そして、ペンＰ等を持つ手Ｑを上記スライド体Ｂ（図１，図９参照）に載せ、その入力用中空部ＳでペンＰや指で、文字，図，印等を入力すると、上記扇状に走る光Ｈが、ペン先や指先により遮光され、その遮光が上記２個の測定モジュール１３のＣＭＯＳイメージセンサにより感知される。その遮光の軌跡（上記ペン先や指先等の軌跡）は、三角測量を利用して特定される。このとき、上記手Ｑは、上記入力デバイスＡ３（入力用中空部Ｓ）上のスライド体Ｂに載っており、上記入力用中空部Ｓに入らないため、検知されない。そして、上記第１または第２の実施の形態と同様にして使用することができる。
【００５４】
つぎに、実施例について説明する。但し、本発明は、実施例に限定されるわけではない。
【実施例】
【００５５】
〔実施例１〕
〔スライド体（スライド式手載せ手段）の作製〕
スライド体の形成材料としてポリカーボネート板を準備し、それを切削加工することにより、図１に示す、第１および第２のスライド板がスライド自在に積層されたスライド体を作製した。第１のスライド板（下側）の大きさを２４０ｍｍ×１００ｍｍ（第１のスライド板のスライド方向に沿う長さ）×１０ｍｍ（厚み）とし、第２のスライド板（上側）の大きさを１００ｍｍ×１００ｍｍ×１０ｍｍ（厚み）とした。第１のスライド板と第２のスライド板とのスライド機構は、第１のスライド板の表面に、溝を形成し、第２のスライド板の裏面に、その溝にスライド自在に係合する突起を形成した。また、第１のスライド板の裏面には、入力デバイスとのスライド機構のための突起を形成した。
【００５６】
〔アンダークラッド層の形成材料〕
成分Ａ：脂環骨格を含むエポキシ樹脂（ダイセル化学工業社製、ＥＨＰＥ３１５０）７５重量部。
成分Ｂ：エポキシ基含有アクリル系ポリマー（日油社製、マープルーフＧ−０１５０Ｍ）２５重量部。
成分Ｃ：光酸発生剤（サンアプロ社製、ＣＰＩ−２００Ｋ）４重量部。
これら成分Ａ〜Ｃを、紫外線吸収剤（チバジャパン社製、ＴＩＮＵＶＩＮ４７９）５重量部とともに、シクロヘキサノン（溶剤）に溶解することにより、アンダークラッド層の形成材料を調製した。
【００５７】
〔コアの形成材料〕
成分Ｄ：ビスフェノールＡ骨格を含むエポキシ樹脂（ジャパンエポキシレジン社製、１５７Ｓ７０）８５重量部。
成分Ｅ：ビスフェノールＡ骨格を含むエポキシ樹脂（ジャパンエポキシレジン社製、エピコート８２８）５重量部。
成分Ｆ：エポキシ基含有スチレン系ポリマー（日油社製、マープルーフＧ−０２５０ＳＰ）１０重量部。
これら成分Ｄ〜Ｆと上記成分Ｃ４重量部とを、乳酸エチルに溶解することにより、コアの形成材料を調製した。
【００５８】
〔オーバークラッド層の形成材料〕
成分Ｇ：脂環骨格を有するエポキシ樹脂（アデカ社製、ＥＰ４０８０Ｅ）１００重量部。
この成分Ｇと上記成分Ｃ２重量部とを混合することにより、オーバークラッド層の形成材料を調製した。
【００５９】
〔光導波路部分の作製〕
ステンレス製基板（厚み５０μｍ）の表面に、上記アンダークラッド層の形成材料を塗布した後、１６０℃×２分間の加熱処理を行い、感光性樹脂層を形成した。ついで、上記感光性樹脂層に対し、紫外線を照射して積算光量１０００ｍＪ／ｃｍ2 の露光を行い、厚み１０μｍのアンダークラッド層（波長８３０ｎｍにおける屈折率１．５１０）を形成した。
【００６０】
ついで、上記アンダークラッド層の表面に、上記コアの形成材料を塗布した後、１７０℃×３分間の加熱処理を行い、感光性樹脂層を形成した。つぎに、フォトマスクを介して（ギャップ１００μｍ）、紫外線を照射し、積算光量３０００ｍＪ／ｃｍ2 の露光を行った。つづいて、１２０℃×１０分間の加熱処理を行った。その後、現像液（γ−ブチロラクトン）を用い現像することにより、未露光部分を溶解除去した後、１２０℃×５分間の乾燥処理を行い、幅３０μｍ×高さ５０μｍのコア（波長８３０ｎｍにおける屈折率１．５７０）をパターン形成した。
【００６１】
ここで、オーバークラッド層形成用の、透光性を有する成形型を準備した。この成形型には、オーバークラッド層の表面形状に対応する型面を有する凹部が形成されている。そして、その凹部を上にして、成形型を成形ステージの上に設置し、その凹部に、上記オーバークラッド層の形成材料を充填した。
【００６２】
ついで、上記アンダークラッド層の表面にパターン形成したコアを、上記成形型の凹部に対して位置決めし、その状態で、上記アンダークラッド層を上記成形型に押圧し、上記オーバークラッド層の形成材料内に、上記コアを浸した。そして、この状態で、紫外線を、上記成形型を透して上記オーバークラッド層の形成材料に照射して積算光量８０００ｍＪ／ｃｍ2 の露光を行い、コアの先端部に対応するオーバークラッド層の部分が凸状のレンズ部に形成されたオーバークラッド層を形成した。その凸状のレンズ部は、側断面形状が略１／４円弧状のレンズ曲面（曲率半径１．４ｍｍ）を有するものであった。
【００６３】
つぎに、上記成形型から、上記オーバークラッド層を、上記基板，アンダークラッド層およびコアと共に脱型した。
【００６４】
そして、上記基板をアンダークラッド層から剥離し、アンダークラッド層，コアおよびオーバークラッド層からなる帯状の光導波路部分（総厚１ｍｍ）を得た。
【００６５】
〔入力デバイスの作製〕
つぎに、回路基板を準備し、それに、発光素子（Ｏｐｔｏｗｅｌｌ社製、ＳＭ８５−２Ｎ００１），受光素子（浜松ホトニクス社製、Ｓ−１０２２６），ＣＭＯＳ駆動ＩＣ，水晶振動子，無線モジュール，リチウムイオン電池（３．７Ｖ）等を搭載し、制御手段を作製した。
【００６６】
ここで、長方形枠状のステンレス製保持板（厚み０．５ｍｍ）を準備した。この保持板の入力用中空部は、縦２９７ｍｍ×横２１０ｍｍの長方形（Ａ４サイズ）とした。そして、上記保持板の表面のうち、上記入力用中空部の外側部分に、上記帯状の光導波路部分を貼着し、長方形枠状の光導波路を作製するとともに、上記制御手段を固定した。このとき、上記発光素子を光出射用のコアに接続し、上記受光素子を光入射用のコアに接続した。その後、上記オーバークラッド層のレンズ部を除く頂面と、上記制御手段の固定部分とを、長方形枠状のステンレス製保護板（厚み０．５ｍｍ）で被覆し、入力デバイスを得た。この保護板の表面には、予め、前記第１のスライド板の裏面に形成した突起とスライド自在に係合する溝を形成していた。
【００６７】
〔スライド式手載せ手段付き入力デバイスの作製〕
最後に、上記入力デバイスの保護板の表面に形成した溝に、上記第１のスライド板の裏面に形成した突起を係合させ、上記入力デバイスに対し上記第１のスライド板がスライド自在となるようにした。このようにして、図１に示すスライド式手載せ手段付き入力デバイスを作製した。
【００６８】
〔実施例２〕
上記実施例１において、スライド体に、第２のスライド板を設けず、スライド体が１枚のスライド板（第１のスライド板）からなるものを作製した。そのため、そのスライド板の表面には、第２のスライド板とのスライド機構用の溝を形成していない。それ以外の部分は、上記実施例１と同様である。
【００６９】
〔実施例３〕
〔スライド体（スライド式手載せ手段）の作製〕
上記実施例１と同様のスライド体を形成した。
【００７０】
〔入力デバイスの作製〕
上記実施例１と同様の長方形枠状の保持板を準備し、その入力用中空部の対向する一方の周縁に、複数の発光ダイオード（シャープ社製、ＧＬ４８００Ｅ００００Ｆ）を並設し、他方の周縁に、複数のフォトダイオード（シャープ社製、ＰＤ４１１ＰＩ２Ｅ００Ｐ）を並設した。また、上記実施例１と同様に、回路基板に、ＣＭＯＳ駆動ＩＣ，水晶振動子，無線モジュール，２個のコイン型リチウム電池等を搭載して制御手段を作製し、それを上記保持板に固定した。そして、上記発光ダイオード，フォトダイオード，制御手段を、長方形枠状のステンレス製保護板（厚み０．５ｍｍ）で被覆し、入力デバイスを得た。この保護板の表面には、予め、前記第１のスライド板の裏面に形成した突起とスライド自在に係合する溝を形成していた。
【００７１】
〔スライド式手載せ手段付き入力デバイスの作製〕
上記実施例１と同様に、上記入力デバイスの保護板の表面に形成した溝に、上記第１のスライド板の裏面に形成した突起を係合させ、上記入力デバイスに対し上記第１のスライド板がスライド自在となるようにした。このようにして、図１０に示すスライド式手載せ手段付き入力デバイスを作製した。
【００７２】
〔スライド式手載せ手段付き入力デバイスの作動確認〕
資料等の情報を記憶したＵＳＢメモリとパソコンとを準備し、そのＵＳＢメモリの記憶情報を、上記パソコンを利用して、そのパソコンのディスプレイに表示した。なお、上記スライド式手載せ手段付き入力デバイスでのスイッチ操作または上記パソコンでのキーボード操作により、上記入力デバイスの入力用中空部に対応する上記ディスプレイでの表示部分が、ディスプレイでの所定の基準位置に位置決めされるようになっている。また、上記パソコンには、上記入力デバイスの長方形枠状の光導波路の入力用中空部の座標を、ディスプレイの画面の座標に変換し、入力デバイスで入力した文字等をディスプレイに表示するソフトウェア（プログラム）が、組み込まれている。また、上記パソコンは、上記入力デバイスの無線モジュールからの電波（情報）を受信できるよう受信手段を備えており、上記パソコンと入力デバイスとを、無線で情報伝達可能に接続した。
【００７３】
そして、上記実施例１〜３のスライド式手載せ手段付き入力デバイスを、その入力デバイスを下にして、紙の上に載置した。ついで、ペンを手に持ち、その手をスライド体の上に載せ、上記ペンで、上記入力用中空部から露呈する上記紙に文字を書き込んだ。その結果、その文字のみが、上記ディスプレイに表示されている資料等の情報に重ね合わさった状態で表示され、手は表示されなかった。
【産業上の利用可能性】
【００７４】
本発明のスライド式手載せ手段付き入力デバイスは、ペン等を持つ手が感知されないよう、文字，図，印等の情報を入力することに利用可能である。
【符号の説明】
【００７５】
Ａ  入力デバイス
Ｂ  スライド体（スライド式手載せ手段）
Ｓ  入力用中空部
Ｗ  光導波路
Ｐ  ペン
Ｑ  手
【図１】
2013200816.tif 000003
【図２】
2013200816.tif 000004
【図３】
2013200816.tif 000005
【図４】
2013200816.tif 000006
【図５】
2013200816.tif 000007
【図６】
2013200816.tif 000008
【図７】
2013200816.tif 000009
【図８】
2013200816.tif 000010
【図９】
2013200816.tif 000011
【図１０】
2013200816.tif 000012
【図１１】
2013200816.tif 000013